(57)【要約】【課題】  ストッパーの脱落防止機能、いたずら防止機能、商品説明のためのアテンション機能を兼ね備えた押圧式ポンプ容器用ラベルを提供すること。【解決手段】  ポンプヘッド５を押圧することにより容器本体内に収納された液状物を吸い上げて吐出するとともに、ポンプヘッド押し下げ阻止用のストッパー８をポンプステム６部分に着脱自在に取り付けた押圧式ポンプ容器のためのラベルであって、少なくともストッパー８のつまみ部７とその周辺所定範囲を覆い隠すことができる大きさからなり、その表側を商品情報の記載面とされ、かつ、裏面側をポンプ取り付け用蓋部４の外周面またはポンプヘッド５の外周面への接着面とされたアテンション記載部１０と、該アテンション記載部の左右いずれか一方の端縁から横方向に細幅帯状に延出され、その先端側裏面部分をストッパー８とポンプステム６をシールするための接着面とされたストッパーシール部１１を設けた。【選択図】      図３
2006010744.tif 000002
【特許請求の範囲】
【請求項１】
容器本体の上端開口部に取り付けられたポンプヘッドを押圧することにより容器本体内に収納された液状物を吸い上げて吐出するとともに、前記ポンプヘッド押し下げ阻止用のストッパーをポンプステム部分に着脱自在に取り付けた押圧式ポンプ容器のためのラベルであって、
少なくとも前記ストッパーのつまみ部とその周辺所定範囲を覆い隠すことができる大きさからなり、その表側を商品情報の記載面とされ、かつ、裏面側をポンプ取り付け用蓋部外周面またはポンプヘッド外周面への接着面とされたアテンション記載部と、
該アテンション記載部の左右いずれか一方の端縁から横方向に細幅帯状に延出され、その先端側裏面部分を前記ストッパーとポンプステムをシールするための接着面とされたストッパーシール部とを有することを特徴とする押圧式ポンプ容器用ラベル。
【請求項２】
前記アテンション記載部の裏面適宜位置には、ポンプ取り付け用蓋部外周面またはポンプヘッド外周面に接着するための第１の接着剤層が形成され、前記ストッパーシール部の先端側裏面には、前記ストッパーとポンプステムに接着するための第２の接着剤層がそれぞれ形成されていることを特徴とする請求項１記載の押圧式ポンプ容器用ラベル。
【発明の詳細な説明】
【技術分野】
【０００１】
本発明は容器用ラベルに関し、特に、容器本体の上端開口部に取り付けられたポンプヘッドを押圧することにより容器本体内に収納された液状物を吸い上げて吐出するとともに、ポンプヘッド押し下げ阻止用のストッパーをポンプステム部分に着脱自在に取り付けた押圧式ポンプ容器のためのラベルに関するものである。
【背景技術】
【０００２】
シャンプー、ボディソープ、ハンドソープ等の液体香粧品分野の製品は、店頭での改ざん防止のための包装、例えばシュリンクフィルム等による包装を行なっていないのが一般的である。これは、これらの商品は身体の外側に使用して洗い流すものであるため、改ざん等により身体的被害の発生するリスクが比較的小さいことに加え、店頭で購買者が製品の香りを確認してから購入を決定することが散見され、本格的な改ざん防止仕様にするとかえって復元不能な状態まで無理矢理蓋部を回されたり、外されたりするおそれがあることも１つの要因である。
【０００３】
通常、この種の液体香粧品はいろいろな形式、形状の容器に収納した状態で販売されるが、容器本体の上端開口部に押圧式のポンプヘッドを取り付け、このポンプヘッドを手指や手のひらで下方へ押し下げることによって収納した液状物を吸い上げ、ポンプヘッドのノズルから吐出するようにした、いわゆる押圧式ポンプ容器がその使いやすさから広く使用されている。
【０００４】
この押圧式ポンプ容器は、その構造上、ポンプヘッドが上下方向に移動可能とされているため、そのままでは簡単に押し下げることができ、いたずらなどによって液漏れ事故が発生するおそれがある。このため、店頭陳列時を初めとして、流通過程における未使用状態においては、ポンプヘッドを簡単に動かすことができないように定位置に固定しておく必要がある。
【０００５】
従来、この未使用状態時におけるポンプヘッドの固定方法として、ポンプヘッドを下死点まで押し込み、ポンプヘッドの下端外周に形成した雄ねじ部をポンプ取り付け用蓋部に形成した雌ねじ部に螺合することにより固定する方法、あるいはポンプヘッドを上死点まで伸長させた状態で着脱式のストッパーをポンプヘッドとポンプ取り付け用蓋部の間のポンプステム部分に取り付けることにより固定する方法等が採用されている。
【０００６】
本発明は、上記固定方法のうち、着脱式ストッパーを用いて固定するようにした押圧式ポンプ容器のためのラベルに関するものである。そこで、まずこの着脱式ストッパーを用いた押圧式ポンプ容器の構造について、図７および図８を参照して説明する。図示するように、この種のストッパーを用いた押圧式ポンプ容器は、シャンプーやハンドソープ等の液状物を収納する容器本体１と、容器本体１内に収納されている液状物を吸い上げてノズル２から吐出する押圧式ポンプ３と、押圧式ポンプ３を容器本体１の上端開口部に取り付けるためのポンプ取り付け用蓋部４とを有している。
【０００７】
押圧式ポンプ３は、先端に吐出ノズル２を備えたポンプヘッド５と、このポンプヘッド５に連結されたポンプステム６を備えており、ポンプステム６はポンプ取り付け用蓋部４を貫通して容器本体１内まで導かれており、ポンプヘッド５を下方へ押し下げることにより、図示しないポンプ機構によって容器本体１内の液状物を吸い上げ、ポンプヘッド５のノズル２から吐出するように構成されている。
【０００８】
この押圧式ポンプ容器は、容器本体１内に、例えばシャンプー、ボディソープ、ハンドソープ等の液状物を充填した後、ポンプヘッド５とポンプ取り付け用蓋部４との間のポンプステム６の部分に、例えばつまみ部７を有する着脱式のストッパー８をはめ込むことにより、上下動自在なポンプヘッド５を上死点位置に固定し、ポンプヘッド５を押し下げることができないようにしている。
【０００９】
一方、容器を封緘するためのシールとしては、例えば特許文献１（特開平８−２０２２６６号公報）に示されるような、蓋貼着部と、本体貼着部と、接着剤層を形成しない検知用連結部とを有する蓋付き容器用シールがある。しかしながら、このシールは螺着式の蓋を備えた容器のための封緘シールであり、本発明のようなポンプヘッドが上下方向に移動自在な押圧式ポンプ容器には適用できない。
【００１０】
また、特許文献２（特開２００１−２９６８０６公報）には、ラベル端部の少なくとも一部は貼着能を有さず、剥離性および引裂性の両方の機能を兼ねた包装体の端部係止用貼着ラベルが提案されている。しかしながら、このラベルはレントゲンフィルム等の袋状包装体のためのラベルであり、本発明のようなポンプヘッドが上下方向に移動自在な押圧式ポンプ容器には適用できない。
【００１１】
また、特許文献３（特開２００２−５５６１４号公報）には、品名表示部、説明表示部からなる表示ラベルが提案されている。しかしながら、この表示ラベルは、小分けされた複数食分の食品が１つの箱等の容器や袋にまとめて入れられた商品（例えば即席ラーメン）から引き剥がした後、引き剥がした表示ラベルを再度冷蔵庫やキッチンの壁、流し台等に貼付可能とするための再粘着・再剥離を目的としたラベルであり、本発明のようなポンプヘッドが上下方向に移動自在な押圧式ポンプ容器には適用できない。
【００１２】
【特許文献１】特開平８−２０２２６６号公報（明細書全文、図面全図）
【特許文献２】特開２００１−２９６８０６号公報（明細書全文、図面全図）
【特許文献３】特開２００２−５５６１４号公報（明細書全文、図面全図）
【発明の開示】
【発明が解決しようとする課題】
【００１３】
上記したように、押圧式ポンプ容器では着脱式のストッパー８を用いてポンプヘッド５の押し下げを防止しているが、このストッパー８は商品購入後の初回使用時に簡単に取り外すことができる構造としておく必要がある。このため、一般的にはストッパー８はある程度弾性を有する樹脂を用いて構成し、初回使用時、引き抜き用のつまみ部７の部分を持って引き抜くことにより、簡単に取り外すことができるように構成するのが普通である。したがって、この着脱自在なストッパー８の脱落を何らかの方法で防止する必要がある。
【００１４】
上記ストッパー８の脱落防止方法としては、オーバーラップシュリンクで全体を包む方法、ストッパーに封緘用のシールを直接貼る方法等があるが、前者の方法の場合、シュリンク包装設備が必要なため、一般的にはコストの安い後者の方法が採用されることが多い。後者の封緘シールを貼る方法の場合、ポンプヘッド５、ポンプステム６、ストッパー８、ポンプ取り付け用蓋部４等のかなりの段差があるところにシールを貼る必要があるため、面積の大きなシールではシールに大きなしわが発生するおそれがある。このため、従来は比較的小さな面積の専用シールをストッパー８とポンプステム６の間に貼付することが一般的であった。しかしながら、シールが小さいためにストッパー８のつまみ部７の部分は露出したままであり、いたずら等でストッパー８が引き抜かれることが皆無とは云えなかった。
【００１５】
一方、近年の香粧品分野の製品には、商品の特徴を訴求するための商品説明やキャッチコピー等の商品情報を印刷した商品説明ラベル（いわゆるアテンションラベル）を貼付することも多くなってきており、前述のストッパー脱落防止用のシールと合わせて２枚貼ることも増えてきている。
【００１６】
本発明者等は、これらの事情に鑑み、種々検討を重ねた結果、ストッパーの脱落防止機能に加え、ストッパーの引き抜き用のつまみ部分を隠すことによっていたずらによるストッパー引き抜きも防止でき、さらに、商品説明記載部分もできるだけ広い面積としながら大きなしわ等が発生することもない、押圧式ポンプ容器のためのラベルを開発したものである。
【００１７】
すなわち、本発明は、ストッパーの脱落防止機能、いたずら防止機能、商品説明のためのアテンション機能を兼ね備えた押圧式ポンプ容器用ラベルを提供することを課題とするものである。
【課題を解決するための手段】
【００１８】
上記課題を解決するため、本発明の押圧式ポンプ容器用ラベルは、容器本体の上端開口部に取り付けられたポンプヘッドを押圧することにより容器本体内に収納された液状物を吸い上げて吐出するとともに、前記ポンプヘッド押し下げ阻止用のストッパーをポンプステム部分に着脱自在に取り付けた押圧式ポンプ容器のためのラベルであって、少なくとも前記ストッパーのつまみ部とその周辺所定範囲を覆い隠すことができる大きさからなり、その表側を商品情報の記載面とされ、かつ、裏面側をポンプ取り付け用蓋部外周面またはポンプヘッド外周面への接着面とされたアテンション記載部と、該アテンション記載部の左右いずれか一方の端縁から横方向に細幅帯状に延出され、その先端側裏面部分を前記ストッパーとポンプステムをシールするための接着面とされたストッパーシール部とを備えたものである。
【００１９】
なお、ラベル貼付作業の効率化を考慮した場合、前記アテンション記載部の裏面側の接着面、前記ストッパーシール部の先端側裏面の接着面にはそれぞれあらかじめ接着剤を塗布し、接着剤層を形成しておくことが好ましい。
【発明の効果】
【００２０】
帯状に伸びるストッパーシール部先端の第１の接着剤層をストッパーとポンプステム部分の両方に掛かるように貼付することにより、ストッパーの抜け落ちを防止することができる。また、面積の大きなアテンション記載部によってストッパーのつまみ部を覆い隠すことができるので、ストッパーが引き抜かれる等のいたずらも防止することができる。
【００２１】
また、ストッパーシール部の形状を帯状としたことにより、ストッパー、ポンプステム、ポンプ取り付け用蓋部との間に大きな段差があっても、ストッパーシール部をストッパーとポンプステムの上だけを通るように沿わて巻き付けることができる。このため、ラベルに余計なひずみが発生することがなくなり、アテンション記載部分に大きなしわが発生するようなことがなくなる。
【００２２】
また、ストッパーシール部の基端側には大きな面積のアテンション記載部を有しているので、商品説明やキャッチコピー等の商品情報を効果的に表示することができる。これにより、一枚のラベルでストッパーの脱落防止機能、ストッパー引き抜き等のいたずら防止機能、商品情報のアテンション機能の三つの機能を兼ね備えたラベルとすることができる。
【００２３】
また、一枚のラベルでストッパーの脱落防止機能、いたずら防止機能、アテンション機能の三つの機能を兼ね備えているので、従来のように商品説明用のラベルとストッパー封緘用のシールを別々に貼る必要もなくなり、ラベルとシールのための資材およびその貼付用設備もそれぞれ１つで済む。このため、コスト面でも、包装ラインのレイアウト制約の面でも有利である。
【発明を実施するための最良の形態】
【００２４】
以下、本発明の実施の形態について図面を参照して説明する。
図１および図２に、本発明に係る押圧式ポンプ容器用ラベル（以下単に「ラベル」と略称）の第１の実施の形態を示す。図１（ａ）はラベルの表面図、図１（ｂ）はラベルの裏面図、図２はラベルと押圧式ポンプ容器との大きさおよび貼付位置関係の説明図である。なお、図２中、二点鎖線で示した容器部分は、前述した図７および図８の押圧式ポンプ容器と同じものであるので、同一の部分には同一の符号を付して示した。
【００２５】
この第１の実施の形態に係るラベル９は、アテンション記載部１０、ストッパーシール部１１を備えている。アテンション記載部１０は、その表側に商品の説明やキャッチコピー等の商品情報１２を記載するための領域であって、ラベル９を押出し式ポンプ容器のポンプ取り付け用蓋部４の外周面に貼付したときに、少なくともストッパー８のつまみ部７とその周辺の適宜範囲を覆い隠すことができる大きさとされている。図示例の場合、幅４５ｍｍ、高さ４０ｍｍの略四角形状とした。
【００２６】
また、図示例の場合、デザイン面からの要請と掩蔽効果の更なる向上のため、上記四角形状になるアテンション記載部１０の左上縁部（図１（ａ）において）を上方へ向けて円弧状に突出させ、この円弧状の突出部１０ａの裏面付近にストッパー８のつまみ部７を位置させることより、ストッパー８のつまみ部７をさらに確実に覆い隠すことができるようにしている。
【００２７】
ストッパーシール部１１は、ストッパー８の脱落防止用の封緘シールであって、アテンション記載部１０の左側縁（図１（ａ）において）の少なくともポンプ取り付け用蓋部４と接触することのない高さ位置に位置して、横方に水平に伸びる細幅の帯状体として形成されており、その先端は円形部１１ａとされている。このストッパーシール部１１の全長は、ストッパーをシールする際にポンプステム６の周りに巻き付けたとき、前記円形部１１ａがストッパー８の先端縁８ａとポンプステム６の両方にまたがって貼り付けることが可能な程度の長さとされている。図示例の場合、全長３３．５ｍｍとした。
【００２８】
上記形状になるラベル９の裏面側には、図１（ｂ）に示すように、２つの接着剤層１３，１４が形成されている。第１の接着剤層１３は、ラベル９のアテンション記載部１０を押出し式ポンプ容器のポンプ取り付け用蓋部４の外周面に貼付するための接着剤層であって、アテンション記載部１０の裏面側の下半部に接着剤を塗布することにより形成されている。また、第２の接着剤層１４は、ストッパー８をポンプステム６にシールして封緘するための接着剤層であり、ストッパーシール部１１の先端に形成した円形部１１ａの裏面側全面に接着剤を塗布することにより形成されている。なお、接着剤としては、アクリル系強粘タイプのものが好ましい。
【００２９】
ラベル９の素材としては、ポリプロピレン樹脂（ＰＰ）、ポリエチレンテレフタレート樹脂（ＰＥＴ）等のプラスチックシートが用いられるが、使用条件や剥離強度を満足する限り紙シートを用いることもできる。プラスチックシートの場合、曲面に貼付する際にシート周縁がしわ寄せされて浮き上がるいわゆるエッジリフト現象を生じる可能性もあるため、シートの剛性を考慮してラベル素材や厚さを決定する必要がある。例えば、延伸ポリプロピレン（ＯＰＰ）を用いた場合、シート厚さは５８μｍ程度が好ましい。
【００３０】
押圧式ポンプ容器は、容器本体１内にシャンプー、ボディソープ、ハンドソープ等の目的とする液状物を充填収納した後、ポンプ取り付け用蓋部４を容器本体１の上端開口部に螺着し、押圧式ポンプ３を定位置に取り付けた後、ポンプステム６の部分にストッパー８がはめ込まれる。そして、本発明のラベル９は、前記ストッパー８をはめ込まれた押圧式ポンプ３の部分に、図３および図４に示すような状態で貼付される。
【００３１】
すなわち、まず最初に、ラベル９のアテンション記載部１０の下縁部をポンプ取り付け用蓋部４の下縁部に平行に沿わせながら、アテンション記載部１０の下半部に塗布してある接着剤層１３によってラベル９をポンプ取り付け用蓋部４の外周面に貼り付ける。これにより、つまみ部７とストッパー８のほとんどの部分が面積の大きなアテンション記載部１０で覆われ、目隠しされた状態となる。
【００３２】
次いで、アテンション記載部１０の左側縁から横向きに水平に伸びる細帯状のストッパーシール部１１をストッパー８とポンプステム６の外周を囲むように巻き付け、先端側の円形部１１ａの裏面の接着剤層１４をストッパー８の先端縁８ａとポンプステム６の両方にまたがるような状態で貼り付け（図３（ｂ）参照）、ストッパー８をポンプステム６の定位置に固定する。
【００３３】
なお、ポンプステム６にはめ込まれるストッパー８は、図３（ｂ）に示すように、その先端縁８ａがストッパーシール部１１の先端の円形部１１ａのちょうど真ん中当たりに位置するように、あらかじめその位置関係を設定した上でポンプステム６にはめ込んでおくものとする。
【００３４】
上記のような状態でラベル９を貼付すると、アテンション記載部１０は、接着剤層１３を形成した裏面下半部だけがポンプ取り付け用蓋部４の外周面に接着されるので、アテンション記載部１０の上半部は折れ曲がることなくそのままポンプ取り付け用蓋部４の外周面に沿ってほぼ垂直に立ち上がる。このため、アテンション記載部１０には従来のような段差による不規則な歪が発生することがなくなる。このため、アテンション記載部を任意形状の大きな面積のものとすることができるとともに、ポンプ取り付け用蓋部４の外周面に沿ってほぼ垂直に立ち上がるので、アテンション記載部１０に印刷されている商品説明やキャッチコピーなどの商品情報１２を確実に視認可能となり、優れたアテンション機能を実現することができる。
【００３５】
一方、ストッパー８は、ストッパーシール部１１の先端の円形部１１ａの接着剤層１４によってその先端縁８ａをポンプステム６に接着固定されるので、ストッパー８は自由に動くことができなくなり、ストッパーの脱落防止を図ることができる。さらに、ストッパー８のつまみ部７の部分は、アテンション記載部１０並びにその上縁に突出形成した円弧状の突出部１０ａによって積極的に目隠しされているので、ストッパー８のつまみ部７を簡単にはつかむことができなくなる。このため、ストッパー８を取り外す等のいたずらも確実に防止することができる。
【００３６】
図５に、本発明に係るラベルの第２の実施の形態を示す。
なお、前記第１の実施の形態と同一の部分には同一の符号を付し、その詳細な説明は省略する。
【００３７】
この第２の実施の形態に係るラベル９は、前記第１の実施の形態と同じ形状のラベルにおいて、アテンション記載部１０の下縁部中央付近に、垂直下向きに伸びる容器本体シール部１５を形成したものである。この容器本体シール部１５は、ストッパーシール部１１と同じく細幅の帯状とされており、その先端部も同じく円形部１５ａとされ、その裏面側には接着剤を塗布することによって第３の接着層１６が形成されている。図示例の場合、容器本体シール部１５の全長は約２５ｍｍとした。
【００３８】
上記第２の実施の形態に係るラベル９は、前記第１の実施の形態と同じように貼付することによって同じような作用効果を奏することに加え、さらに、新たに形成した容器本体シール部１５の先端裏面の接着剤層１６を容器本体１の外表面に接着してシールすることにより、容器本体１との間も封緘するようにしたものである。したがって、この第２の実施の形態に係るラベル９の場合、１枚のラベルによって、容器本体１、ポンプ取り付け用蓋部４、ストッパー８、ポンプステム６、ポンプヘッド５のすべてをシールして封緘することができる。また、ストッパー８の引き抜き防止だけにとどまらず、ポンプ取り付け用蓋部４を回して押圧式ポンプ３の全体を容器本体１から取り外してしまうというようないたずらも防ぐことができる。
【００３９】
なお、上記第１および第２の実施の形態では、アテンション記載部１０の下縁部側をポンプ取り付け用蓋部４の外周面に貼り付けるようにしたが、これとは逆に、アテンション記載部１０をより縦長に形成し、この縦長のアテンション記載部１０の上縁部側をポンプヘッド５の外周面に貼り付けるようにしてもよい。
【００４０】
また、上記第１および第２の実施の形態では、貼付作業の効率化を図るために、前記アテンション記載部１０の裏面側、前記ストッパーシール部１１の先端側裏面、および容器本体シール部１５の先端側裏面にそれぞれ接着剤を塗布し、接着剤層１３，４，１６をあらかじめ形成しておいたが、ラベル単体時には接着剤層１３，４，１６は形成しておかず、製造ラインにおけるラベル９の貼付作業の直前に前記接着剤層１３，１４，１６の位置に接着剤を塗布して貼付するようにしてもよいものである。
【図面の簡単な説明】
【００４１】
【図１】本発明に係る押圧式ポンプ容器用ラベルの第１の実施の形態を示すもので、（ａ）はラベルの表面図、（ｂ）はラベルの裏面図である。
【図２】第１の実施の形態に係るラベルと押圧式ポンプ容器の大きさおよび貼付位置の関係を示す説明図である。
【図３】第１の実施の形態に係るラベルの押圧式ポンプ容器への貼付状態を示すもので、（ａ）はその正面図、（ｂ）は背面図、（ｃ）は左側面図である。
【図４】図２中のＩ−Ｉ線位置における略示断面図である。
【図５】本発明に係る押圧式ポンプ容器用ラベルの第２の実施の形態を示すもので、（ａ）はラベルの表面図、（ｂ）はラベルの裏面図である。
【図６】第２の実施の形態に係るラベルと押圧式ポンプ容器の大きさおよび貼付位置の関係を示す説明図である。
【図７】ストッパーを用いた押圧式ポンプ容器の例を示す斜視図である。
【図８】（ａ）は押圧式ポンプのポンプステム部分にストッパーをはめ込んだ状態の側面図、（ｂ）は（ａ）中のII−II線位置における略示断面図である。
【符号の説明】
【００４２】
１      容器本体
２      ノズル
３      押圧式ポンプ
４      ポンプ取り付け用蓋部
５      ポンプヘッド
６      ポンプステム
７      つまみ部
８      ストッパー
８ａ    ストッパーの先端縁
９      ラベル
１０    アテンション記載部
１０ａ  突出部
１１    ストッパーシール部
１１ａ  円形部
１２    突出部
１３    第１の接着剤層
１４    第２の接着剤層
１５    容器本体シール部
１５ａ  円形部
１６    第３の接着剤層
【図１】
2006010744.tif 000003
【図２】
2006010744.tif 000004
【図３】
2006010744.tif 000005
【図４】
2006010744.tif 000006
【図５】
2006010744.tif 000007
【図６】
2006010744.tif 000008
【図７】
2006010744.tif 000009
【図８】
2006010744.tif 000010